(57)【要約】      （修正有）【課題】脊椎矯正に用いられる脳波分析システムを提供する。【解決手段】脊椎矯正に用いられる脳波分析システムは、２つのヘッドマウント器具１０及び処理ユニットを備えている。２つのヘッドマウント器具１０は操作者及び被検者の頭部にそれぞれ装着して脳波を検出する。各ヘッドマウント器具１０は、バンド１１と、脳波検出器１２と、脳波検出器が測定した脳波から特定のアルゴリズムに基づいて脳活動データを算出する脳波チップと、脳波チップが演算した脳波データを外部に伝送する脳波計トランシーバーと、を更に備えている。処理ユニットは、２つのヘッドマウント器具１０の脳波計トランシーバーから発信された信号を受信する処理側トランシーバーと、人体の各種疼痛に対応する脊椎の骨節のずれのデータを保存するために用いる脊椎痛データベースと、２つのヘッドマウント器具１０から伝送された脳波データを比較し、両者の脳波の波形が同期しているかどうかを確定する脳波比較モジュールと、を更に具備する。【選択図】図１
0003228906.tif 000002
【実用新案登録請求の範囲】
【請求項１】
脳波の検出に用い、使用時には操作者の頭部に装着する第一ヘッドマウント器具と、
脳波の検出に用い、使用時には被検者の頭部に装着する第二ヘッドマウント器具と、
処理ユニットと、を備え
各前記ヘッドマウント器具は、
円環に近似する装置であるバンドと、
前記バンドに位置し、その位置は人体の頭部に装着した後に頭部の部位に対応する脳波検出器と、
前記バンドに位置し、前記脳波検出器が測定した脳波の数値を受信し、特定のアルゴリズムに基づいて対応する操作者または被検者の脳活動の脳波データを算出する脳波チップと、
前記バンドに位置し、前記脳波チップが演算した脳波データを外部に伝送する脳波計トランシーバーと、をさらに含み、
前記処理ユニットは、
前記第一ヘッドマウント器具及び前記第二ヘッドマウント器具の脳波計トランシーバーに信号接続し、前記処理側トランシーバーは前記第一ヘッドマウント器具及び前記第二ヘッドマウント器具の脳波計トランシーバーから発信された信号を受信するために用い、且つ前記信号は前記操作者及び前記被検者が人体の脊椎のある被検骨節に対して被検方位下で発信した脳波を含み、前記人体の脊椎は複数の骨節で形成されている処理側トランシーバーと、
人体の各種疼痛に対応する脊椎の骨節のずれのデータを保存するために用い、これらデータは多くの実験対称に対して長期間の実験を行って構築したビッグデータである脊椎痛データベースと、
前記処理側トランシーバー及び前記脊椎痛データベースに接続し、前記脳波比較モジュールはテスト期間中に前記操作者及び前記被検者から前記第一ヘッドマウント器具及び前記第二ヘッドマウント器具が受信した脳波を比較し、両者の脳波の波形が同期しているかどうかを確定する脳波比較モジュールと、をさらに具備することを特徴とする脊椎矯正に用いられる脳波分析システム。
【請求項２】
同期とは両者の対応する脳波の上昇段及び下降段が一致していることを指し、両者の対応する脳波の上昇段及び下降段が一致している場合に同期していると判定し、そうでなければ非同期と判定し、前記テスト期間中に非同期の脳波数が特定の数量を超過した場合、前記被検者の脊椎が前記被検骨節の前記方位がずれているため矯正が必要であると判定することを特徴とする請求項１に記載の脊椎矯正に用いられる脳波分析システム。
【請求項３】
前記処理ユニットは前記脳波比較モジュールに接続する画面表示メカニズムを更に含み、比較及びテスト結果を表示するために用いることを特徴とする請求項１に記載の脊椎矯正に用いられる脳波分析システム。
【請求項４】
前記被検方位は右後方回転、左後方回転、右平行移動、左平行移動、前進、及び後退の６つの方位から選択することを特徴とする請求項１に記載の脊椎矯正に用いられる脳波分析システム。
【請求項５】
前記脳波比較モジュールは前記操作者及び前記被検者から前記第一ヘッドマウント器具及び前記第二ヘッドマウント器具が受信した脳波のアルファ波を比較することを特徴とする請求項１に記載の脊椎矯正に用いられる脳波分析システム。
【請求項６】
前記処理ユニットは電子情報装置に装設し、前記電子情報装置はパソコン、携帯電話、或いはタブレット端末から選択することを特徴とする請求項１に記載の脊椎矯正に用いられる脳波分析システム。
【考案の詳細な説明】
【技術分野】
【０００１】
本考案は、脳波分析に関し、より詳しくは、脊椎矯正に用いられる脳波分析システム及び前記脳波分析システムに用いられるテスト方法に関する。
【背景技術】
【０００２】
欧米の脊椎矯正の医学的理論は、外部からの病原菌や衝撃によって引き起こされる人体の疼痛を除くと、長期間に及ぶ病気や疼痛は全て脊椎の亜脱臼（Subluxation、軽微な位置ずれ）に起因している。脊椎の亜脱臼がこれに連結している神経を圧迫したり引っ張ったりすることで神経の伝達経路が不良となり、人体の自己治癒能力に影響が生じ、神経の伝達に影響が出た関連部位が正常を回復するように自己治癒できなくなり、長期間疼痛に悩まされることになった。
【０００３】
欧米の脊椎治療法の標準的な作業プロセスの第一ステップは、現在どれも治療効果の記録を主に利用し、経験を頼りに脊椎の亜脱臼部位を確定する。然しながら、患者の状態をフィルターにかけて脊椎の亜脱臼部位を確定する自動化されたシステムがなかった。脊椎治療法の標準的な作業プロセスの第二ステップは、その検知方法は現在のところ患者に特定の姿勢をとってもらった後、目視で伝統的な方法によって検知し判断することを主とし、判定結果の安定性について熟考する必要があった。
【０００４】
人間には皆意思があり、意思には人が思考することにより生じる様々な命令を含む。人と人との間で意思を互いに伝達することができ、意思を伝達する無形の方法は感知である。感知には時間や距離の制限がない。各人の意思を脳波計により検知し、全て電磁波によって表示できる。人の意思の変化も電磁波により表示できる。よって、人と人との意思の伝達は双方の電磁波の反応を比較分析することで知ることができる。
【考案の概要】
【考案が解決しようとする課題】
【０００５】
従来の技術では脳波検出装置により脳波を測定し、数値を演算した後に被検者の特性の対応程度について多くの研究が進められている。脳波検出装置により単一の測定点を研究することが多く行われており、例えば、映像音楽療法（視聴覚）、芳香療法（嗅覚）、各種のマッサージ（触覚）等がある。しかしながら、脳波検出装置を使用し、２人の人間が意思を伝達し、これを互いに対応させた後の脳波を脊椎の亜脱臼の研究に利用しているが、どれも欠陥があり、よって本発明人は脊椎の亜脱臼の判定に用いる斬新な技術及び分析機能を有する演算システムにより従来の技術の欠陥を解決する。
【０００６】
本考案はこうした状況に鑑みてなされたものであり、その目的は、脊椎矯正に用いられる脳波分析システムを提供することにある。すなわち、百万近い脊椎治療法の治療効果の成功例を収集し、脊椎痛データベースを構築し、且つ患者の症状に対応する脊椎の亜脱臼部位の自動フィルタリングメカニズムをシステム化して構築する。脊椎治療法の成功例が増えるたびに収集してフィードバックし、ビッグデータを用いたスマート学習法により上述の自動フィルタリングメカニズムを調整する。こうして従来の脊椎治療法に欠落しているシステム化及び自動化の問題を解決する。
【課題を解決するための手段】
【０００７】
上記課題を解決するために、本考案のある態様の脊椎矯正に用いられる脳波分析システムは、脳波検出器を有する２つのヘッドマウント器具を使用し、前記脊椎痛データベースから検索した被検者の疼痛部位に対応する脊椎の骨節に対してテストを行い、テスト時には操作者の意思命令及び被検者の意思を対応させ、双方の脳波データを前記脳波検出器により検出した後に処理を行う。また、脳波比較モジュールにより被検期間内に２つの前記ヘッドマウント器具から伝送された脳波信号を同期し比較したデータを処理し、脊椎の前記被検骨節の前記方位に病変があるかどうか確定し、矯正を行う。
【考案の効果】
【０００８】
本考案によれば、非常に簡易な方法であり、長期にわたるテストを経て脊椎治療法がシステム化及び自動化された診療メカニズムを確実に達成する。
【図面の簡単な説明】
【０００９】
【図１】本考案の好ましい実施形態に係る第一ヘッドマウント器具を示す概略図である。
【図２】本考案の好ましい実施形態に係る第二ヘッドマウント器具を示す概略図である。
【図３】本考案の主要な部品を組み合わせる構成を示すブロック図である。
【図４】本考案のテスト方法を示すフローチャートである。
【図５】本考案に適用される概略図である。
【考案を実施するための形態】
【００１０】
以下、本開示の実施形態について図面を用いて説明する。なお、本開示は、下記の実施形態に何ら限定されることはなく、本開示の技術的範囲に属する限り種々の形態を採りうる。
【００１１】
本明細書及び図面の記載により、少なくとも、以下の事項が明らかとなる。
【００１２】
以下、図１〜５を参照しながら、本考案の脊椎矯正に用いられる脳波分析システムをさらに詳しく説明する。なお、本考案は以下の部材を備えている。
＜第一ヘッドマウント器具１０（図１参照）＞
【００１３】
脳波の検出に用いる。使用時には前記第一ヘッドマウント器具１０を操作者の頭部に装着する。
＜第二ヘッドマウント器具１５（図２参照）＞
【００１４】
脳波の検出に用いる。使用時には前記第二ヘッドマウント器具１５を被検者の頭部に装着する。
【００１５】
また、各前記ヘッドマウント器具１０、１５は以下の部材を更に備えている。
＜バンド１１＞
【００１６】
円環に近似する装置。
＜脳波検出器１２＞
【００１７】
前記バンド１１に位置し、その位置は人体の頭部に装着した後に頭部の部位に対応する。
＜脳波チップ１３＞
【００１８】
前記バンド１１に位置し、前記脳波検出器１２が測定した脳波の数値を受信し、特定のアルゴリズムに基づいて対応する操作者または被検者の脳活動の脳波データを算出する。その方式は主に人体の左脳及び右脳のデルタ波、シータ波、高／低のアルファ波、高／低のベータ波、及び高／低のガンマ波を測定し、これら異なる脳波は異なる物理的及び生理的意義を有し、被検者の異なる状態を示す。よって、これら異なる脳波を測定し、数値を演算することで被検者の特性の対応程度を知ることができる。
＜脳波計トランシーバー１４＞
【００１９】
前記バンド１１に位置し、前記脳波チップ１３が演算した脳波データを外部に伝送する。前記脳波計トランシーバー１４はブルートゥーストランシーバー等である。
【００２０】
また、処理ユニット２０は以下の部材を更に備えている。
＜処理側トランシーバー２１＞
【００２１】
前記第一ヘッドマウント器具１０及び前記第二ヘッドマウント器具１５の脳波計トランシーバー１４に信号接続し、前記処理側トランシーバー２１は前記第一ヘッドマウント器具１０及び前記第二ヘッドマウント器具１５の脳波計トランシーバー１４から発信された信号を受信するために用いる（図３参照）。前記信号は前記操作者及び前記被検者が人体の脊椎のある被検骨節に対して被検方位下で発信した脳波を含む。前記人体の脊椎は複数の骨節で形成されている。前記人体の脊椎は頸椎、胸椎、及び腰椎の３つの部位に分けられ、各部位は６つの方位を有し、それぞれ右後方回転、左後方回転、右平行移動、左平行移動、前進、及び後退６つの方位である。
＜脊椎痛データベース２２＞
【００２２】
人体の各種疼痛に対応する脊椎の骨節のずれのデータを保存するために用いる。これらデータは多くの実験対称に対して長期間の実験を行って構築したビッグデータである。例えば、頭痛時には長期間の実験及びビッグデータの観察に基づいて脊椎の３、５、７節の骨節がずれていることが分かる。本案は百万近い脊椎治療法の治療効果の成功例を収集し、前記脊椎痛データベース２２の構築に用い、且つ患者の症状に対応する脊椎の亜脱臼部位の自動フィルタリングメカニズムをシステム化して構築する。脊椎治療法の成功例が増えるたびに収集してフィードバックし、ビッグデータを用いたスマート学習法により上述の自動フィルタリングメカニズムを調整する。
＜脳波比較モジュール２３＞
【００２３】
前記処理側トランシーバー２１及び前記脊椎痛データベース２２に接続し、前記脳波比較モジュール２３はテスト期間中に、前記第一ヘッドマウント器具１０及び前記第二ヘッドマウント器具１５が受信した前記操作者及び前記被検者の脳波（主にアルファ波）を比較し、両者の脳波の波形が同期しているかどうかを確定する。同期とは両者の対応する脳波の上昇段及び下降段が一致していることを指す。両者の対応する脳波の上昇段及び下降段が一致している場合は同期していると判定する。そうでなければ非同期と判定する。前記テスト期間中に非同期の脳波数が特定の数量を超過した場合、前記被検者の脊椎は前記被検骨節の前記方位にずれがあり、矯正が必要であると判定する。
＜画面表示メカニズム２４＞
【００２４】
前記脳波比較モジュール２３に接続し、比較及びテスト結果を表示するために用いる。前記処理ユニット２０はパソコン、携帯電話、タブレット端末等各種異なる電子情報装置に装設する。
【００２５】
本案の前記脳波分析システムを使用したテスト方法は（図４参照）、下記ステップを含む。
＜ステップ１０１＞
【００２６】
前記脊椎痛データベース２２から被検者の疼痛部位に基づいて被検する必要のある骨節を出力する。まず、前記脊椎痛データベース２２中から被検者の疼痛部位に対応する脊椎の骨節を出力し、テストを行う必要のある被検骨節とし、前記骨節のどの方位にずれがあり矯正が必要であるかを確定する。例えば、前記脊椎痛データベース２２に基づいて、被検者が頭痛の場合は脊椎の第３、５、７節の骨節にずれがあると示し、テスト時には脊椎の第３、５、７節の骨節に対してテストを行う。
＜ステップ１０２＞
【００２７】
前記被検骨節に対し、操作者１の前記第一ヘッドマウント器具１０及び被検者的前記第二ヘッドマウント器具１５は操作者１及び被検者２のテスト動作に従って順序立てた脳波の波形を出力する。前記テスト動作は操作者１が被検者２の身体のある部位を手で触り（図５参照）、その後操作者１が被検者２の被検脊椎の被検骨節（例えば、第３節）の被検方位を黙念または黙想し、所定の時間に重複して黙念または黙想を行う。このテスト期間内に操作者１の第一ヘッドマウント器具１０及び被検者２の第二ヘッドマウント器具１５は前記黙念または黙想に従って順序立った脳波の波形を出力する。
＜ステップ１０３＞
【００２８】
前記脳波比較モジュール２３は前記テスト期間内に操作者１及び被検者２の対応する脳波の波形が同期しているかどうかを比較する。同期とは両者の対応する脳波の上昇段及び下降段が一致していることを指す。両者の対応する脳波の上昇段及び下降段が一致している場合、同期していると判定する。そうでなければ非同期と判定する。前記段の時間で非同期の脳波数が特定の数量を超過した場合、前記被検椎骨節が前記方位にずれがあり矯正が必要であると判定する。この方式により前記脊椎痛データベース２２が選定した骨節の各方位に対してテストを行い、これら骨節中のどの方位にずれがあり矯正が必要であるか決定する。非同期の脳波数が特定の数量を超過するが、前記特定の数量は予め複数回テストを行ったビッグデータを応用することにより決定する。
＜ステップ１０４＞
【００２９】
被検する骨節が正常であるかどうか出力し、即ちずれがあるかどうか出力する。
＜ステップ１０５＞
【００３０】
前記脊椎痛データベース２２のデータに基づいて、各被検骨節の各方位に対し上述のステップを実行し、矯正が必要な骨節の対応する方位を決定する。
【００３１】
上記説明は、本考案を説明するためのものであって、実用新案登録請求の範囲に記載の発明を限定し、或いは範囲を限縮するように解すべきではない。また、本考案の各部構成は、上記実施例に限らず、実用新案登録請求の範囲に記載の技術的範囲内で種々の変形が可能であることは勿論である。
【符号の説明】
【００３２】
１  操作者
２  被検者
１０  第一ヘッドマウント器具
１１  バンド
１２  脳波検出器
１３  脳波チップ
１４  脳波計トランシーバー  
１５  第二ヘッドマウント器具
２０  処理ユニット
２１  処理側トランシーバー
２２  脊椎痛データベース
２３  脳波比較モジュール
２４  画面表示メカニズム
【図１】
0003228906.tif 000003
【図２】
0003228906.tif 000004
【図３】
0003228906.tif 000005
【図４】
0003228906.tif 000006
【図５】
0003228906.tif 000007
【手続補正書】
【提出日】令和2年8月13日(2020.8.13)
【手続補正１】
【補正対象書類名】実用新案登録請求の範囲
【補正対象項目名】全文
【補正方法】変更
【補正の内容】
【実用新案登録請求の範囲】
【請求項１】
脳波の検出に用い、使用時には操作者の頭部に装着する第一ヘッドマウント器具と、
脳波の検出に用い、使用時には被検者の頭部に装着する第二ヘッドマウント器具と、
処理ユニットと、を備え
各前記ヘッドマウント器具は、
円環に近似する装置であるバンドと、
前記バンドに位置し、その位置は人体の頭部に装着した後に頭部の部位に対応する脳波検出器と、
前記バンドに位置し、前記脳波検出器が測定した脳波の数値を受信し、特定のアルゴリズムに基づいて対応する操作者または被検者の脳活動の脳波データを算出する脳波チップと、
前記バンドに位置し、前記脳波チップが演算した脳波データを外部に伝送する脳波計トランシーバーと、をさらに含み、
前記処理ユニットは、処理側トランシーバーと、脊椎痛データベースと、脳波比較モジュールと、をさらに具備し、
前記処理側トランシーバーは、前記第一ヘッドマウント器具及び前記第二ヘッドマウント器具の脳波計トランシーバーに信号接続し、前記第一ヘッドマウント器具及び前記第二ヘッドマウント器具の脳波計トランシーバーから発信された信号を受信するために用い、且つ前記信号は前記操作者及び前記被検者が人体の脊椎のある被検骨節に対して被検方位下で発信した脳波を含み、前記人体の脊椎は複数の骨節で形成されており、
前記脊椎痛データベースは、人体の各種疼痛に対応する脊椎の骨節のずれのデータを保存するために用い、これらデータは多くの実験対称に対して長期間の実験を行って構築したビッグデータであり、
前記脳波比較モジュールは、前記処理側トランシーバー及び前記脊椎痛データベースに接続し、前記脳波比較モジュールはテスト期間中に前記操作者及び前記被検者から前記第一ヘッドマウント器具及び前記第二ヘッドマウント器具が受信した脳波を比較し、両者の脳波の波形が同期しているかどうかを確定することを特徴とする脊椎矯正に用いられる脳波分析システム。
【請求項２】
同期とは両者の対応する脳波の上昇段及び下降段が一致していることを指し、両者の対応する脳波の上昇段及び下降段が一致している場合に同期していると判定し、そうでなければ非同期と判定し、前記テスト期間中に非同期の脳波数が特定の数量を超過した場合、前記被検者の脊椎が前記被検骨節の前記方位がずれているため矯正が必要であると判定することを特徴とする請求項１に記載の脊椎矯正に用いられる脳波分析システム。
【請求項３】
前記処理ユニットは前記脳波比較モジュールに接続する画面表示メカニズムを更に含み、比較及びテスト結果を表示するために用いることを特徴とする請求項１に記載の脊椎矯正に用いられる脳波分析システム。
【請求項４】
前記被検方位は右後方回転、左後方回転、右平行移動、左平行移動、前進、及び後退の６つの方位から選択することを特徴とする請求項１に記載の脊椎矯正に用いられる脳波分析システム。
【請求項５】
前記脳波比較モジュールは前記操作者及び前記被検者から前記第一ヘッドマウント器具及び前記第二ヘッドマウント器具が受信した脳波のアルファ波を比較することを特徴とする請求項１に記載の脊椎矯正に用いられる脳波分析システム。
【請求項６】
前記処理ユニットは電子情報装置に装設し、前記電子情報装置はパソコン、携帯電話、或いはタブレット端末から選択することを特徴とする請求項１に記載の脊椎矯正に用いられる脳波分析システム。